(57)【要約】    【課題】改質器リサイクルガスと燃料との混合ガスのスチームカーボン比が予め設定した所定の値となるように制御され、発電を安定に継続する燃料電池発電システムの制御法とその制御法を実現する制御プログラムとその制御プログラムを記録した記録媒体を提供すること。    【解決手段】天然ガス１の水蒸気改質反応によって改質ガス９を生成する改質器２と、改質ガス９を燃料として発電を行い、燃料極排出ガス１０を改質器２に供給する固体酸化物形燃料電池セルスタック３とを有する燃料電池発電システムの制御法において、天然ガス１の供給量と固体酸化物形燃料電池セルスタック３の発電電流とに応じて、改質器２へ供給する燃料極排出ガス１１中の水蒸気の天然ガス１中の炭素に対する比率が予め設定した値となるように、改質器２への燃料極排出ガス１０の供給量を制御する燃料電池発電システムの制御法を構成する。【選択図】    図３
2005063722.tif 000002
【特許請求の範囲】
【請求項１】
燃料の水蒸気改質反応によって水素リッチな改質ガスを生成する改質器と、前記水素リッチな改質ガス中の水素、もしくは水素及び一酸化炭素を酸素と電気化学的に反応させることにより発電を行い、前記発電に伴って発生した排熱を前記改質器に供給するとともに、前記発電に伴って生成した水蒸気を含む燃料極排出ガスを前記改質器に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の水素を燃料として発電を行う第二の燃料電池セルスタックを有する燃料電池発電システムの制御法において、
前記燃料の供給量と前記第一の燃料電池セルスタックの発電電流から、前記改質器に供給する前記第一の燃料電池セルスタックの前記燃料極排出ガス中の水蒸気の前記燃料中の炭素に対する比率が予め設定した値となるような前記改質器に供給する前記第一の燃料電池セルスタックの前記燃料極排出ガスの供給量を計算によって求め、前記改質器に供給する前記第一の燃料電池セルスタックの前記燃料極排出ガスの供給量が前記計算によって求められた供給量になるように、前記改質器に供給する前記第一の燃料電池セルスタックの前記燃料極排出ガスの供給量を制御することを特徴とする燃料電池発電システムの制御法。
【請求項２】
燃料の水蒸気改質反応によって水素リッチな改質ガスを生成する改質器と、前記水素リッチな改質ガス中の水素、もしくは水素及び一酸化炭素を酸素と電気化学的に反応させることにより発電を行い、前記発電に伴って発生した排熱を前記改質器に供給するとともに、前記発電に伴って生成した水蒸気を含む燃料極排出ガスを前記改質器に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の一酸化炭素を酸素と反応させ二酸化炭素に変換するＣＯ選択酸化器と、前記ＣＯ選択酸化器の排出ガス中の水素を酸素と電気化学的に反応させることによって発電を行う第二の燃料電池セルスタックを有する燃料電池発電システムの制御法において、
前記燃料の供給量と前記第一の燃料電池セルスタックの発電電流から、前記改質器に供給する前記第一の燃料電池セルスタックの前記燃料極排出ガス中の水蒸気の前記燃料中の炭素に対する比率が予め設定した値となるような前記改質器に供給する前記第一の燃料電池セルスタックの前記燃料極排出ガスの供給量を計算によって求め、前記改質器に供給する前記第一の燃料電池セルスタックの前記燃料極排出ガスの供給量が前記計算によって求められた供給量になるように、前記改質器に供給する前記第一の燃料電池セルスタックの前記燃料極排出ガスの供給量を制御することを特徴とする燃料電池発電システムの制御法。
【請求項３】
燃料の水蒸気改質反応によって水素リッチな改質ガスを生成する改質器と、前記水素リッチな改質ガス中の水素、もしくは水素及び一酸化炭素を酸素と電気化学的に反応させることにより発電を行い、前記発電に伴って発生した排熱を前記改質器に供給するとともに、前記発電に伴って生成した水蒸気を含む燃料極排出ガスを前記改質器に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の水素を選択的に分離する水素分離器と、前記水素分離器で分離した前記水素を酸素と電気化学的に反応させることによって発電を行う第二の燃料電池セルスタックを有する燃料電池発電システムの制御法において、  前記燃料の供給量と前記第一の燃料電池セルスタックの発電電流から、前記改質器に供給する前記第一の燃料電池セルスタックの前記燃料極排出ガス中の水蒸気の前記燃料中の炭素に対する比率が予め設定した値となるような前記改質器に供給する前記第一の燃料電池セルスタックの前記燃料極排出ガスの供給量を計算によって求め、前記改質器に供給する前記第一の燃料電池セルスタックの前記燃料極排出ガスの供給量が前記計算によって求められた供給量になるように、前記改質器に供給する前記第一の燃料電池セルスタックの前記燃料極排出ガスの供給量を制御することを特徴とする燃料電池発電システムの制御法。
【請求項４】
燃料の水蒸気改質反応によって水素リッチな改質ガスを生成する改質器と、前記水素リッチな改質ガス中の水素、もしくは水素及び一酸化炭素を酸素と電気化学的に反応させることにより発電を行い、前記発電に伴って発生した排熱を前記改質器に供給するとともに、前記発電に伴って生成した水蒸気を含む燃料極排出ガスを前記改質器に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の水素の電気化学的な酸化反応によって発電を行う第二の燃料電池セルスタックを有する燃料電池発電システムの制御法において、
前記燃料の供給量と前記第一の燃料電池セルスタックの発電電流から、前記改質器に供給する前記第一の燃料電池セルスタックの前記燃料極排出ガス中の水蒸気の前記燃料中の炭素に対する比率が予め設定した値となるような前記改質器に供給する前記第一の燃料電池セルスタックの前記燃料極排出ガスの供給量を計算によって求め、前記改質器に供給する前記第一の燃料電池セルスタックの前記燃料極排出ガスの供給量が前記計算によって求められた供給量になるように、前記改質器に供給する前記第一の燃料電池セルスタックの前記燃料極排出ガスの供給量を制御することを特徴とする燃料電池発電システムの制御法。
【請求項５】
燃料極における燃料の水蒸気改質反応によって水素と一酸化炭素とを生成させるとともに、前記水素、もしくは前記水素及び前記一酸化炭素を酸素と電気化学的に反応させることによって発電を行い、前記発電に伴って発生した熱を前記水蒸気改質反応に必要な反応熱として消費し、また、前記発電に伴って生成した水蒸気を含む燃料極排出ガスを前記燃料極に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の水素を燃料として発電を行う第二の燃料電池セルスタックを有する燃料電池発電システムの制御法において、
前記燃料の供給量と前記第一の燃料電池セルスタックの発電電流から、前記燃料極に供給する前記第一の燃料電池セルスタックの前記燃料極排出ガス中の水蒸気の前記燃料中の炭素に対する比率が予め設定した値となるような前記燃料極に供給する前記第一の燃料電池セルスタックの前記燃料極排出ガスの供給量を計算によって求め、前記燃料極に供給する前記第一の燃料電池セルスタックの前記燃料極排出ガスの供給量が前記計算によって求められた供給量になるように、前記燃料極に供給する前記第一の燃料電池セルスタックの前記燃料極排出ガスの供給量を制御することを特徴とする燃料電池発電システムの制御法。
【請求項６】
燃料極における燃料の水蒸気改質反応によって水素と一酸化炭素とを生成させるとともに、前記水素、もしくは前記水素及び前記一酸化炭素を酸素と電気化学的に反応させることによって発電を行い、前記発電に伴って発生した熱を前記水蒸気改質反応に必要な反応熱として消費し、また、前記発電に伴って生成した水蒸気を含む燃料極排出ガスを前記燃料極に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の一酸化炭素を酸素と反応させて二酸化炭素に変換するＣＯ選択酸化器と、前記ＣＯ選択酸化器の排出ガス中の水素を酸素と電気化学的に反応させることによって発電を行う第二の燃料電池セルスタックを有する燃料電池発電システムの制御法において、
前記燃料の供給量と前記第一の燃料電池セルスタックの発電電流から、前記燃料極に供給する前記第一の燃料電池セルスタックの前記燃料極排出ガス中の水蒸気の前記燃料中の炭素に対する比率が予め設定した値となるような前記燃料極に供給する前記第一の燃料電池セルスタックの前記燃料極排出ガスの供給量を計算によって求め、前記燃料極に供給する前記第一の燃料電池セルスタックの前記燃料極排出ガスの供給量が前記計算によって求められた供給量になるように、前記燃料極に供給する前記第一の燃料電池セルスタックの前記燃料極排出ガスの供給量を制御することを特徴とする燃料電池発電システムの制御法。
【請求項７】
燃料極における燃料の水蒸気改質反応によって水素と一酸化炭素とを生成させるとともに、前記水素、もしくは前記水素及び前記一酸化炭素を酸素と電気化学的に反応させることによって発電を行い、前記発電に伴って発生した熱を前記水蒸気改質反応に必要な反応熱として消費し、また、前記発電に伴って生成した水蒸気を含む燃料極排出ガスを前記燃料極に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の水素を選択的に分離する水素分離器と、前記水素分離器で分離した前記水素を酸素と電気化学的に反応させることによって発電を行う第二の燃料電池セルスタックを有する燃料電池発電システムの制御法において、
前記燃料の供給量と前記第一の燃料電池セルスタックの発電電流から、前記燃料極に供給する前記第一の燃料電池セルスタックの前記燃料極排出ガス中の水蒸気の前記燃料中の炭素に対する比率が予め設定した値となるような前記燃料極に供給する前記第一の燃料電池セルスタックの前記燃料極排出ガスの供給量を計算によって求め、前記燃料極に供給する前記第一の燃料電池セルスタックの前記燃料極排出ガスの供給量が前記計算によって求められた供給量になるように、前記燃料極に供給する前記第一の燃料電池セルスタックの前記燃料極排出ガスの供給量を制御することを特徴とする燃料電池発電システムの制御法。
【請求項８】
燃料極における燃料の水蒸気改質反応によって水素と一酸化炭素とを生成させるとともに、前記水素、もしくは前記水素及び前記一酸化炭素を酸素と電気化学的に反応させることによって発電を行い、前記発電に伴って発生した熱を前記水蒸気改質反応に必要な反応熱として消費し、また、前記発電に伴って生成した水蒸気を含む燃料極排出ガスを前記燃料極に供給する第一の燃料電池セルスタックと、前記第一の燃料電池セルスタックの前記燃料極排出ガス中の一酸化炭素を水蒸気と反応させることによって二酸化炭素と水素と変換するＣＯシフトコンバータと、前記ＣＯシフトコンバータの排出ガス中の水素を酸素と電気化学的に反応させることによって発電を行う第二の燃料電池セルスタックを有する燃料電池発電システムの制御法において、
前記燃料の供給量と前記第一の燃料電池セルスタックの発電電流から、前記燃料極に供給する前記第一の燃料電池セルスタックの前記燃料極排出ガス中の水蒸気の前記燃料中の炭素に対する比率が予め設定した値となるような前記燃料極に供給する前記第一の燃料電池セルスタックの前記燃料極排出ガスの供給量を計算によって求め、前記燃料極に供給する前記第一の燃料電池セルスタックの前記燃料極排出ガスの供給量が前記計算によって求められた供給量になるように、前記燃料極に供給する前記第一の燃料電池セルスタックの前記燃料極排出ガスの供給量を制御することを特徴とする燃料電池発電システムの制御法。
【請求項９】
請求項１、２、３、４、５、６、７または８に記載の燃料電池発電システムの制御法をコンピュータに実行させることを特徴とする燃料電池発電システムの制御法を実現する制御プログラム。
【請求項１０】
請求項９に記載の燃料電池発電システムの制御法を実現する制御プログラムを記録したことを特徴とする燃料電池発電システムの制御法を実現する制御プログラムを記録した記録媒体記録媒体。
【発明の詳細な説明】
【技術分野】
【０００１】
本発明は、燃料電池発電システムの制御法とその制御法を実現する制御プログラムとその制御プログラムを記録した記録媒体に関し、特に、二種類の燃料電池セルスタックを組み合わせて発電を行う燃料電池発電の制御法とその制御法を実現する制御プログラムとその制御プログラムを記録した記録媒体に関するものである。
【背景技術】
【０００２】
従来、二種類の燃料電池セルスタックを組み合わせて発電を行う燃料電池発電システムが、下記非特許文献１に例示されているように、開発されている。
【０００３】
図３は、従来の燃料電池発電システムを表すシステム構成図である。図３において、１は燃料である天然ガス、２は燃料である天然ガス１の水蒸気改質反応を行わせる改質器、３は第一の燃料電池セルスタックである固体酸化物形燃料電池セルスタック（以下、ＳＯＦＣスタックと略す）、４はＳＯＦＣスタック３の燃料極、５はＳＯＦＣスタック３の固体酸化物電解質、６はＳＯＦＣスタック３の空気極、７は燃焼器、８はリサイクル用ＳＯＦＣスタック３の燃料極排出ガス１１と脱硫された天然ガス３９の混合ガス、９は水素リッチな改質ガス、１０はＳＯＦＣスタック３の燃料極排出ガス、１１はリサイクル用ＳＯＦＣスタック３の燃料極排出ガス、１２はＳＯＦＣスタック３の空気極排出ガス、１３は燃焼ガス、１４は燃料である天然ガス１の供給量を制御する流量制御弁、１５はリサイクル用ＳＯＦＣスタック３の燃料極排出ガス１１の供給量を制御する流量制御弁、１７はＣＯシフトコンバータ用ＳＯＦＣスタック３の燃料極排出ガス、２０はＣＯシフトコンバータ、２１はＣＯ選択酸化器、２２は凝縮器、２３は第二の燃料電池セルスタックである固体高分子形燃料電池セルスタック（以下、ＰＥＦＣスタックと略す）、２４はＰＥＦＣスタック２３の空気極、２５はＰＥＦＣスタック２３の固体高分子電解質、２６はＰＥＦＣスタック２３の燃料極、２７は燃焼用ＳＯＦＣスタック３の燃料極排出ガス、２８はＣＯ選択酸化器２１に供給する一酸化炭素濃度を１％以下まで低減させたＳＯＦＣスタック３の燃料極排出ガス、２９は一酸化炭素濃度をｐｐｍオーダーまで低減させたＳＯＦＣスタック３の燃料極排出ガス、３０はＣＯ選択酸化器２１の酸化用空気、３１は一酸化炭素濃度をｐｐｍオーダーまで低減させ水蒸気を除去したＳＯＦＣスタック３の燃料極排出ガス、３２はＰＥＦＣスタック２３の発電用空気、３３はＰＥＦＣスタック２３の空気極排出ガス、３４はＰＥＦＣスタック２３の燃料極排出ガス、３６はＳＯＦＣスタック３の発電用空気、３７は脱硫器リサイクルガスの供給量を制御する流量制御弁、３８は脱硫器、３９は脱硫された天然ガス、４０はＳＯＦＣスタジク３の発電用空気３６の供給量を制御する流量制御弁、４１はＰＥＦＣスタック２３の発電用空気３２の供給量を制御する流量制御弁、４２はＣＯ選択酸化器２１の酸化用空気３０の供給量を制御する流量制御弁、４４は一酸化炭素濃度を１％以下まで低減させたＳＯＦＣスタック３の燃料極排出ガス、４５は脱硫器リサイクルガス、４６は凝縮水である。
【０００４】
なお、上記「水素リッチ」は、電池反応によって発電に寄与するに足りる濃度の水素を含有することを意味する。
【０００５】
図３において、ＳＯＦＣスタック３が一組のＳＯＦＣスタックの燃料極４、ＳＯＦＣスタックの固体酸化物電解質５及びＳＯＦＣスタック３の空気極６からなるＳＯＦＣ単セルによって構成されているように示されているが、実際には、ＳＯＦＣスタック３は複数のＳＯＦＣ単セルから構成されている。
【０００６】
また、図３において、ＰＥＦＣスタック２３も一組のＰＥＦＣスタックの燃料極２４、ＰＥＦＣスタックの固体高分子電解質２５及びＰＥＦＣスタックの空気極２６からなる単セルによって構成されているように示されているが、実際には、ＰＥＦＣスタック２３は複数の単セルから構成されている。
【０００７】
以下、図３を用いて、この従来の燃料電池発電システムの作用について説明する。燃料である天然ガス１を脱硫器３８に供給する。燃料である天然ガス１の供給量は、予め設定されたＳＯＦＣスタック３の発電電流及びＰＥＰＣスタック２３の発電電流と流量制御弁１４の開度（すなわち、燃料である天然ガス１の供給量）の関係に基づいて、流量制御弁１４の開度を制御することによって、ＳＯＦＣスタック３の発電電流及びＰＥＦＣスタック２３の発電電流に見合った値に設定する。
【０００８】
脱硫器３８では、充填された脱硫触媒のコバルト−モリブデン系触媒と酸化亜鉛吸着剤の働きにより、改質器２の改質触媒、ＰＥＦＣスタック２３の燃料極２６の電極触媒及びＳＯＦＣスタック３の燃料極４の電極触媒の劣化の原因となる燃料である天然ガス１中のメルカプタン等の腐臭剤に含まれる硫黄分を水添脱硫することにより吸着除去する。すなわち、コバルト−モリブデン系触媒により最初に硫黄と水素を反応させて硫化水素を生成させ、次にこの硫化水素と酸化亜鉛を反応させることによって硫化亜鉛を生成させて、硫黄分を除去する。硫化水素の生成に必要な水素を供給するために、ＣＯシフトコンバータ２０から排出される一酸化炭素濃度を１％以下に低減させたＳＯＦＣスタック３の燃料極排出ガス４４の一部を、脱硫器リサイクルガス４５として脱硫器３８にリサイクルする。脱硫器リサイクルガス４５の供給量は、予め設定された流量制御弁１４の開度（すなわち、燃料である天然ガス１の供給量）と流量制御弁３７の開度（すなわち脱硫器リサイクルガス４５の供給量）の関係に基づいて、流量制御弁３７の開度を制御することによって、燃料である天然ガス１の供給量に見合った値に設定する。硫化水素と硫化亜鉛の生成反応は吸熱反応であり、反応に必要な反応熱は、後述する発熱反応であるＣＯシフトコンバータ２０での水性シフト反応によって発生する熱をＣＯシフトコンバータ２０から脱硫器３８に供給することによってまかなう。
【０００９】
脱硫器３８で脱硫された脱硫された天然ガス３９は、ＳＯＦＣスタック３で生成した水蒸気を含むリサイクル用ＳＯＦＣスタック３の燃料極排出ガス１１と混合し、リサイクル用ＳＯＦＣスタック３の燃料極排出ガス１１と脱硫された天然ガス３９の混合ガス８として改質器２に供給する。
【００１０】
改質器２では、充填された改質触媒の働きにより燃料である天然ガス１中の炭化水素の水蒸気改質反応が行われ、水素リッチな改質ガスが作られる。天然ガスの主成分であるメタンの水蒸気改質反応は（１）式で表される。
ＣＨ４ ＋ Ｈ２Ｏ → ＣＯ ＋ ３Ｈ２                    （１）
（１）式に示したメタンの水蒸気改質反応等の炭化水素の水蒸気改質反応は吸熱反応であり、効率的に水素を生成させるためには、外部から改質器２に必要な反応熱を供給し、改質器２の温度を７００〜７５０℃に維持することが必要である。このため、後述する改質器２の近傍に設置された８００〜１０００℃で発電を行うＳＯＦＣスタック３の排熱を、改質反応に必要な反応熱として改質器２に供給する。改質器２でつくられた水素リッチな改質ガス９は、ＳＯＦＣスタック３の燃料極４に供給する。
【００１１】
ＳＯＦＣスタック３の発電用空気３６を、ＳＯＦＣスタック３の空気極６に供給する。ＳＯＦＣスタック３の発電用空気３６の供給量は、ＳＯＦＣスタックの発電電流量と流量制御弁４０の開度（すなわち、ＳＯＦＣスタック３の発電用空気３６の供給量）の関係に基づいて、流量制御弁４０の開度を制御することによって、ＳＯＦＣスタック３の発電電流量に見合った値に設定する。
【００１２】
ＳＯＦＣスタック３の空気極６では、金属酸化物系電極触媒の働きで、ＳＯＦＣスタック３の発電用空気３６中の酸素が（２）式に示す空気極反応により電子と反応して酸素イオンに変わる。
１/２Ｏ２ ＋ ２ｅ− → Ｏ２−                         （２）
ＳＯＦＣスタック３の空気極６で生成した酸素イオンは、安定化ジルコニア（ＹＳＺ）等のＳＯＦＣスタック３の固体酸化物電解質５の内部を移動し、ＳＯＦＣスタック３の燃料極４に到達する。ＳＯＦＣスタック３の燃料極４では、ニッケル−ＹＳＺサーメソト、ルテニウム−ＹＳＺサーメット等の金属系電極触媒の働きで、ＳＯＦＣスタック３の空気極６からＳＯＦＣスタック３の固体酸化物電解質５の内部を移動してきた酸素イオンが、（３）式および（４）式に示す反応によりＳＯＦＣスタック３の燃料極４に供給された水素リッチな改質ガス９中の水素および一酸化炭素と反応し、水蒸気または二酸化炭素と電子が生成する。
Ｈ２ ＋ Ｏ２− → Ｈ２Ｏ ＋ ２ｅ−                    （３）
ＣＯ ＋ Ｏ２− → ＣＯ２ ＋ ２ｅ−                    （４）
ＳＯＦＣスタック３の燃料極４で生成した電子は、外部回路を移動し、ＳＯＦＣスタック３の空気極６に到達する。ＳＯＦＣスタックの空気極６に到達した電子は、（２）式に示した反応により酸素と反応する。この電子が外部回路を移動する過程で、電気エネルギーをＳＯＦＣスタック３の発電出力として取り出すことができる。
【００１３】
（２）式と（３）式、（２）式と（４）式を、それぞれまとめると、ＳＯＦＣスタック３の電池反応は（５）式に示す水素の酸化反応と、（６）式に示す一酸化炭素の酸化反応として表すことができる。
Ｈ２ ＋ １/２Ｏ２ → Ｈ２Ｏ                           （５）
ＣＯ ＋ １/２Ｏ２ → ＣＯ２                           （６）
ＳＯＦＣスタック３の発電温度は、一般的に８００〜１０００℃であり、電池反応による発熱により発電温度が維持されている。ＳＯＦＣスタック３の排熱は、前述したように改質器２での燃料である天然ガス１中の炭化水素の水蒸気改質反応の反応熱として利用する。
【００１４】
ＳＯＦＣスタック３の燃料極４で電池反応により生成した水蒸気を含むＳＯＦＣスタック３の燃料極排出ガス１０の一部は、前述したように、改質器２での炭化水素の水蒸気改質反応に必要な水蒸気を供給するために、リサイクル用ＳＯＦＣスタック３の燃料極排出ガス１１として脱硫された天然ガス３９と混合して改質器２に供給する。また、ＳＯＦＣスタック３の燃料極排出ガス１０の残りの一部は、ＣＯシフトコンバータ用ＳＯＦＣスタック３の燃料極排出ガス１７として、ＣＯシフトコンバータ２０に供給する。ＣＯシフトコンバータ用ＳＯＦＣスタック３の燃料極排出ガス１７の供給量は、予め設定されたＰＥＦＣスタック２３の発電電流と流量制御弁１９の開度（すなわちＣＯシフトコンバータ用ＳＯＦＣスタック３の燃料極排出ガス１７の供給量）の関係に基づいて、流量制御弁１９の開度を制御することによって、ＰＥＦＣスタックの発電電流に見合った値に設定する。そして、ＳＯＦＣスタック３の燃料極排出ガス１０の残りは、燃焼器７に供給する燃焼用ＳＯＦＣスタック３の燃料極排出ガス２７として燃焼器７に供給する。
【００１５】
ＣＯシフトコンバータ用ＳＯＦＣスタック３の燃料極排出ガス１７には、ＰＥＦＣスタック２３の燃料極２６の電極触媒の劣化の原因となる一酸化炭素が含まれているので、ＣＯシフトコンバータ用ＳＯＦＣスタック３の燃料極排出ガス１７は、銅−亜鉛系触媒等のシフト触媒が充填されたＣＯシフトコンバータ２０に供給し、シフト触媒の働きにより（７）式に示す水性シフト反応を行わせることによって、ＳＯＦＣスタック３の燃料極排出ガス１０中の一酸化炭素濃度を１％以下まで低減させる。
ＣＯ ＋ Ｈ２Ｏ → ＣＯ２ ＋ Ｈ２                      （７）
水性シフト反応は発熱反応であり、発生した熱は脱硫器３８に供給し、前述した吸熱反応である硫化水素と硫化亜鉛の生成反応の反応熱として利用する。
【００１６】
ＣＯシフトコンバータ２０で作られた一酸化炭素濃度を１％以下に低減させたＳＯＦＣスタック３の燃料極排出ガス４４の一部は、前述したように脱硫器リサイクルガス４５として脱硫器３８に供給し、残りは、ＳＯＦＣスタック３の燃料極排出ガス中の一酸化炭素濃度が１００ｐｐｍ以上であると、ＰＥＦＣスタック２３の燃料極２６に供給した場合に電極触媒の劣化原因となるので、一酸化炭素濃度をｐｐｍオーダーに低減させるために、ＣＯ選択酸化器２１に供給する一酸化炭素濃度を１％以下まで低下させたＳＯＦＣスタック３の燃料極排出ガス２８として、白金、ルテニウム等の貴金属系触媒がＣＯ選択酸化触媒として充填されたＣＯ選択酸化器２１に供給する。また、空気をＣＯ選択酸化器２１の酸化用空気３０として、ＣＯ選択酸化器２１に供給する。ＣＯ選択酸化器２１では、ＣＯ選択酸化器２１に供給する一酸化炭素濃度を１％以下まで低下させたＳＯＦＣスタック３の燃料極排出ガス２８に含まれる一酸化炭素を、発熱反応である（８）式に示すＣＯ選択酸化反応によりＣＯ選択酸化器２１の酸化用空気３０中の酸棄と反応させることによって二酸化炭素に変換し、ＣＯ選択酸化器２１に供給する一酸化炭素濃度を１％以下まで低下させたＳＯＦＣスタック３の燃料極排出ガス２８中の一酸化炭素濃度をｐｐｍオーダーに低減させる。
ＣＯ ＋ １/２Ｏ２ → ＣＯ２                           （８）
ＣＯ選択酸化器２１の酸化用空気３０の供給量は、予め設定された流量制御弁１９の開度（すなわち、ＣＯシフトコンバータ用ＳＯＦＣスタック３の燃料極排出ガス１７の供給量）と流量制御弁４２の開度（すなわち、ＣＯ選択酸化器２１の酸化用空気３０の供給量）の関係に基づいて、流量制御弁４２の開度を制御することによって、ＣＯシフトコンバータ用ＳＯＦＣスタック３の燃料極排出ガス１７の供給量に見合った値に設定する。
【００１７】
ＣＯ選択酸化器で作られた一酸化炭素濃度をｐｐｍオーダーまで低減させたＳＯＦＣスタック３の燃料極排出ガス２９に含まれる未反応水蒸気は、凝縮器２２で１００℃以下に冷却することによって、凝縮水４６として回収する。凝縮器２２で未反応水蒸気ガスを凝縮させることによって一酸化炭素濃度をｐｐｍオーダーまで低減させ水蒸気を除去したＳＯＦＣスタック３の燃料極排出ガス３１は、ＰＥＦＣスタック２３の燃料極２６に供給する。一方、ＰＥＦＣスタック２３の発電用空気３２を、ＰＥＦＣスタック２３の空気極２４に供給する。ＰＥＦＣスタック２３の発電用空気３２の供給量は、予め設定されたＰＥＦＣスタック２３の発電電流と流量制御弁４１の開度（すなわち、ＰＥＦＣスタック２３の発電用空気３２の供給量）の関係に基づいて、流量制御弁４１の開度を制御することによって、ＰＥＦＣスタック２３の発電電流に見合った値に制御する。ＰＥＦＣスタック２３の発電温度は、６０〜８０℃が一般的であり、電池反応による発熱により発電温度が維持される。
【００１８】
ＰＥＦＣスタック２３の燃料極２６では、白金系電極触媒の働きで、一酸化炭素濃度をｐｐｍオーダーまで低減させ水蒸気を除去したＳＯＦＣスタック３の燃料極排出ガス３１中に含まれる水素の約８０％が、（９）式に示す燃料極反応により水素イオンと電子に変わる。
Ｈ２ → ２Ｈ＋ ＋ ２ｅ−                              （９）
ＰＥＦＣスタック２３の燃料極２６で生成した水素イオンは、ナフィオン等のスルフォン酸基を有するフッ素系高分子から構成されるＰＥＦＣスタック２３の固体高分子電解質２５の内部を移動し、ＰＥＦＣスタック２３の空気極２４に到達する。一方、ＰＥＦＣスタック２３の燃料極２６で生成した電子は、外部回路を移動し、ＰＥＦＣスタック２３の空気極２４に到達する。この電子が外部回路を移動する過程で、電気エネルギーを直流電力として取り出すことができる。ＰＥＦＣスタック２３の空気極２４では、白金系電極触媒の働きで、ＰＥＦＣスタック２３の燃料極２６からＰＥＦＣスタック２３の固体高分子電解質２５の内部をＰＥＦＣスタック２３の空気極２４まで移動してきた水素イオン、ＰＥＦＣスタック２３の燃料極２６から外部回路をＰＥＦＣスタック２３の空気極２４まで移動してきた電子及びＰＥＦＣスタック２３の空気極２４に供給されたＰＥＦＣスタック２３の発電用空気３２中の酸素が、（１０）式に示す空気極反応により反応し、水が生成する。
２Ｈ＋ ＋ １/２Ｏ２ ＋ ２ｅ− → Ｈ２Ｏ               （１０）
（９）式と（１０）式をまとめると、ＰＥＦＣスタック２３の電池反応は、（１１）式に示す水素の酸化反応として表すことができる。
Ｈ２ ＋ １/２Ｏ２ → Ｈ２Ｏ                           （１１）
ＰＥＦＣスタック２３の発電用空気３２は、ＰＥＦＣスタック２３の空気極２４で酸素の一部を（１０）式に示した空気極反応により消費した後に、ＰＥＦＣスタック２３の空気極排出ガス３３として排出する。一方、一酸化炭素濃度をｐｐｍオーダーまで低減させ水蒸気を除去したＳＯＦＣスタック３の燃料極排出ガス３１は、ＰＥＦＣスタック２３の燃料極２６で水素の約８０％を（９）式に示した燃料極反応により消費した後に、ＰＥＦＣスタック２３の燃料極排出ガス３４として排出する。ＰＥＦＣスタック２３の燃料極排出ガス３４は、燃焼器７に供給する。
【００１９】
燃焼器７では、燃焼用ＳＯＦＣスタック３の燃料極排出ガス２７中の未反応水素、未反応一酸化炭素及び未反応燃料とＰＥＦＣスタック２３の燃料極排出ガス３４中の未反応水素及び未反応燃料をＳＯＦＣスタック３の空気極排出ガス１２中の未反応酸素と燃焼反応させて、燃焼ガス１３を生成する。なお、図３には示されていないが、燃焼排出ガス１３は、燃料である天然ガス１とＳＯＦＣスタック３の発電用空気３６の昇温に利用する。
【００２０】
図２は、図３に示す従来の燃料電池発電システムの制御法を表すフロー図である。
【００２１】
図３に示したように、従来の燃料電池発電システムでは、予め設定された流量制御弁１４の開度（すなわち、燃料である天然ガス１の供給量）と流量制御弁１５の開度（すなわち、リサイクル用ＳＯＦＣスタック３の燃料極排出ガス１１の供給量）の関係に基づいて、燃料である天然ガス１の供給量に対してリサイクル用ＳＯＦＣスタック３の燃料極排出ガス１１の供給量を一意的に求め、流量制御弁１５の開度を制御することによってリサイクル用ＳＯＦＣスタック３の燃料極排出ガス１１の供給量を設定していた。
【００２２】
【非特許文献１】論文「Ａ．Ｌ．Ｄｉｃｋｓ，Ｒ．Ｇ．Ｆｅ１１ｏｅｓ，Ｃ．Ｍ．Ｍｅｓｃａ１，ａｎｄ  Ｃ．Ｓｅｙｍｏｕｒ：“Ａ  ｓｔｕｄｙ  ｏｆ  ＳＯＦＣ−ＰＥＭ  ｈｙｂｒｉｄ  ｓｙｓｔｅｍｓ”，Ｊｏｕｒｎａ１  ｏｆ  Ｐｏｗｅｒ  Ｓｏｕｒｃｅ，８６，ｐｐ．４４２〜４４８，２０００」
【発明の開示】
【発明が解決しようとする課題】
【００２３】
従来の燃料電池発電システムでは、表１に示したように、発電条件が異なる場合は、燃料である天然ガス１の供給量に対してリサイクル用ＳＯＦＣスタック３の燃料極排出ガス１１のガス組成が一意的に決まらないので、燃料である天然ガス１の供給量に対して一意的にリサイクル用ＳＯＦＣスタック３の燃料極排出ガス１１の供給量を求める従来の制御法を適用すると、リサイクル用ＳＯＦＣスタック３の燃料極排出ガス１１と脱硫された天然ガス３９との混合ガス８中の水蒸気の燃料である天然ガス１中の炭素に対するモル比（以下、スチームカーボン比と略す）を予め設定した値に制御することはできない。
【００２４】
【表１】
2005063722.tif 000003
その結果、リサイクル用ＳＯＦＣスタック３の燃料極排出ガス１１と脱硫された天然ガス３９との混合ガス８のスチームカーボン比が予め設定した値より低下し、改質器の改質触媒上に炭素が析出することによって改質器の性能低下が起こり、燃料電池発電システムの発電を安定に継続することが困難となる恐れがある。  本発明は上記問題点に鑑みてなされたものであり、本発明の目的は、二種類の燃料電池セルスタックを組み合わせて発電を行う燃料電池発電システムにおいて、改質器リサイクルガスと燃料との混合ガスのスチームカーボン比が予め設定した所定の値となるように制御され、発電を安定に継続する燃料電池発電システムの制御法とその制御法を実現する制御プログラムとその制御プログラムを記録した記録媒体を提供することである。
【課題を解決するための手段】
【００２５】
上記課題を解決するために、本発明においては、請求項１に記載のように、
燃料の水蒸気改質反応によって水素リッチな改質ガスを生成する改質器と、前記水素リッチな改質ガス中の水素、もしくは水素及び一酸化炭素を酸素と電気化学的に反応させることにより発電を行い、前記発電に伴って発生した排熱を前記改質器に供給するとともに、前記発電に伴って生成した水蒸気を含む燃料極排出ガスを前記改質器に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の水素を燃料として発電を行う第二の燃料電池セルスタックを有する燃料電池発電システムの制御法において、
前記燃料の供給量と前記第一の燃料電池セルスタックの発電電流から、前記改質器に供給する前記第一の燃料電池セルスタックの前記燃料極排出ガス中の水蒸気の前記燃料中の炭素に対する比率が予め設定した値となるような前記改質器に供給する前記第一の燃料電池セルスタックの前記燃料極排出ガスの供給量を計算によって求め、前記改質器に供給する前記第一の燃料電池セルスタックの前記燃料極排出ガスの供給量が前記計算によって求められた供給量になるように、前記改質器に供給する前記第一の燃料電池セルスタックの前記燃料極排出ガスの供給量を制御することを特徴とする燃料電池発電システムの制御法を構成する。
【００２６】
また、本発明においては、請求項２に記載のように、
燃料の水蒸気改質反応によって水素リッチな改質ガスを生成する改質器と、前記水素リッチな改質ガス中の水素、もしくは水素及び一酸化炭素を酸素と電気化学的に反応させることにより発電を行い、前記発電に伴って発生した排熱を前記改質器に供給するとともに、前記発電に伴って生成した水蒸気を含む燃料極排出ガスを前記改質器に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の一酸化炭素を酸素と反応させ二酸化炭素に変換するＣＯ選択酸化器と、前記ＣＯ選択酸化器の排出ガス中の水素を酸素と電気化学的に反応させることによって発電を行う第二の燃料電池セルスタックを有する燃料電池発電システムの制御法において、
前記燃料の供給量と前記第一の燃料電池セルスタックの発電電流から、前記改質器に供給する前記第一の燃料電池セルスタックの前記燃料極排出ガス中の水蒸気の前記燃料中の炭素に対する比率が予め設定した値となるような前記改質器に供給する前記第一の燃料電池セルスタックの前記燃料極排出ガスの供給量を計算によって求め、前記改質器に供給する前記第一の燃料電池セルスタックの前記燃料極排出ガスの供給量が前記計算によって求められた供給量になるように、前記改質器に供給する前記第一の燃料電池セルスタックの前記燃料極排出ガスの供給量を制御することを特徴とする燃料電池発電システムの制御法を構成する。
【００２７】
また、本発明においては、請求項３に記載のように、
燃料の水蒸気改質反応によって水素リッチな改質ガスを生成する改質器と、前記水素リッチな改質ガス中の水素、もしくは水素及び一酸化炭素を酸素と電気化学的に反応させることにより発電を行い、前記発電に伴って発生した排熱を前記改質器に供給するとともに、前記発電に伴って生成した水蒸気を含む燃料極排出ガスを前記改質器に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の水素を選択的に分離する水素分離器と、前記水素分離器で分離した前記水素を酸素と電気化学的に反応させることによって発電を行う第二の燃料電池セルスタックを有する燃料電池発電システムの制御法において、  前記燃料の供給量と前記第一の燃料電池セルスタックの発電電流から、前記改質器に供給する前記第一の燃料電池セルスタックの前記燃料極排出ガス中の水蒸気の前記燃料中の炭素に対する比率が予め設定した値となるような前記改質器に供給する前記第一の燃料電池セルスタックの前記燃料極排出ガスの供給量を計算によって求め、前記改質器に供給する前記第一の燃料電池セルスタックの前記燃料極排出ガスの供給量が前記計算によって求められた供給量になるように、前記改質器に供給する前記第一の燃料電池セルスタックの前記燃料極排出ガスの供給量を制御することを特徴とする燃料電池発電システムの制御法を構成する。
【００２８】
また、本発明においては、請求項４に記載のように、
燃料の水蒸気改質反応によって水素リッチな改質ガスを生成する改質器と、前記水素リッチな改質ガス中の水素、もしくは水素及び一酸化炭素を酸素と電気化学的に反応させることにより発電を行い、前記発電に伴って発生した排熱を前記改質器に供給するとともに、前記発電に伴って生成した水蒸気を含む燃料極排出ガスを前記改質器に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の水素の電気化学的な酸化反応によって発電を行う第二の燃料電池セルスタックを有する燃料電池発電システムの制御法において、
前記燃料の供給量と前記第一の燃料電池セルスタックの発電電流から、前記改質器に供給する前記第一の燃料電池セルスタックの前記燃料極排出ガス中の水蒸気の前記燃料中の炭素に対する比率が予め設定した値となるような前記改質器に供給する前記第一の燃料電池セルスタックの前記燃料極排出ガスの供給量を計算によって求め、前記改質器に供給する前記第一の燃料電池セルスタックの前記燃料極排出ガスの供給量が前記計算によって求められた供給量になるように、前記改質器に供給する前記第一の燃料電池セルスタックの前記燃料極排出ガスの供給量を制御することを特徴とする燃料電池発電システムの制御法を構成する。
【００２９】
また、本発明においては、請求項５に記載のように、
燃料極における燃料の水蒸気改質反応によって水素と一酸化炭素とを生成させるとともに、前記水素、もしくは前記水素及び前記一酸化炭素を酸素と電気化学的に反応させることによって発電を行い、前記発電に伴って発生した熱を前記水蒸気改質反応に必要な反応熱として消費し、また、前記発電に伴って生成した水蒸気を含む燃料極排出ガスを前記燃料極に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の水素を燃料として発電を行う第二の燃料電池セルスタックを有する燃料電池発電システムの制御法において、
前記燃料の供給量と前記第一の燃料電池セルスタックの発電電流から、前記燃料極に供給する前記第一の燃料電池セルスタックの前記燃料極排出ガス中の水蒸気の前記燃料中の炭素に対する比率が予め設定した値となるような前記燃料極に供給する前記第一の燃料電池セルスタックの前記燃料極排出ガスの供給量を計算によって求め、前記燃料極に供給する前記第一の燃料電池セルスタックの前記燃料極排出ガスの供給量が前記計算によって求められた供給量になるように、前記燃料極に供給する前記第一の燃料電池セルスタックの前記燃料極排出ガスの供給量を制御することを特徴とする燃料電池発電システムの制御法を構成する。
【００３０】
また、本発明においては、請求項６に記載のように、
燃料極における燃料の水蒸気改質反応によって水素と一酸化炭素とを生成させるとともに、前記水素、もしくは前記水素及び前記一酸化炭素を酸素と電気化学的に反応させることによって発電を行い、前記発電に伴って発生した熱を前記水蒸気改質反応に必要な反応熱として消費し、また、前記発電に伴って生成した水蒸気を含む燃料極排出ガスを前記燃料極に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の一酸化炭素を酸素と反応させて二酸化炭素に変換するＣＯ選択酸化器と、前記ＣＯ選択酸化器の排出ガス中の水素を酸素と電気化学的に反応させることによって発電を行う第二の燃料電池セルスタックを有する燃料電池発電システムの制御法において、
前記燃料の供給量と前記第一の燃料電池セルスタックの発電電流から、前記燃料極に供給する前記第一の燃料電池セルスタックの前記燃料極排出ガス中の水蒸気の前記燃料中の炭素に対する比率が予め設定した値となるような前記燃料極に供給する前記第一の燃料電池セルスタックの前記燃料極排出ガスの供給量を計算によって求め、前記燃料極に供給する前記第一の燃料電池セルスタックの前記燃料極排出ガスの供給量が前記計算によって求められた供給量になるように、前記燃料極に供給する前記第一の燃料電池セルスタックの前記燃料極排出ガスの供給量を制御することを特徴とする燃料電池発電システムの制御法を構成する。
【００３１】
また、本発明においては、請求項７に記載のように、
燃料極における燃料の水蒸気改質反応によって水素と一酸化炭素とを生成させるとともに、前記水素、もしくは前記水素及び前記一酸化炭素を酸素と電気化学的に反応させることによって発電を行い、前記発電に伴って発生した熱を前記水蒸気改質反応に必要な反応熱として消費し、また、前記発電に伴って生成した水蒸気を含む燃料極排出ガスを前記燃料極に供給する第一の燃料電池セルスタックと、前記第一の燃料電池セルスタックの前記燃料極排出ガス中の一酸化炭素を水蒸気と反応させることによって二酸化炭素と水素に変換するＣＯシフトコンバータと、前記ＣＯシフトコンバータの排出ガス中の水素を選択的に分離する水素分離器と、前記水素分離器で分離した前記水素を酸素と電気化学的に反応させることによって発電を行う第二の燃料電池セルスタックを有する燃料電池発電システムの制御法において、
前記燃料の供給量と前記第一の燃料電池セルスタックの発電電流から、前記燃料極に供給する前記第一の燃料電池セルスタックの前記燃料極排出ガス中の水蒸気の前記燃料中の炭素に対する比率が予め設定した値となるような前記燃料極に供給する前記第一の燃料電池セルスタックの前記燃料極排出ガスの供給量を計算によって求め、前記燃料極に供給する前記第一の燃料電池セルスタックの前記燃料極排出ガスの供給量が前記計算によって求められた供給量になるように、前記燃料極に供給する前記第一の燃料電池セルスタックの前記燃料極排出ガスの供給量を制御することを特徴とする燃料電池発電システムの制御法を構成する。
【００３２】
また、本発明においては、請求項８に記載のように、
燃料極における燃料の水蒸気改質反応によって水素と一酸化炭素とを生成させるとともに、前記水素、もしくは前記水素及び前記一酸化炭素を酸素と電気化学的に反応させることによって発電を行い、前記発電に伴って発生した熱を前記水蒸気改質反応に必要な反応熱として消費し、また、前記発電に伴って生成した水蒸気を含む燃料極排出ガスを前記燃料極に供給する第一の燃料電池セルスタックと、前記第一の燃料電池セルスタックの前記燃料極排出ガス中の一酸化炭素を水蒸気と反応させることによって二酸化炭素と水素と変換するＣＯシフトコンバータと、前記ＣＯシフトコンバータの排出ガス中の水素を酸素と電気化学的に反応させることによって発電を行う第二の燃料電池セルスタックを有する燃料電池発電システムの制御法において、
前記燃料の供給量と前記第一の燃料電池セルスタックの発電電流から、前記燃料極に供給する前記第一の燃料電池セルスタックの前記燃料極排出ガス中の水蒸気の前記燃料中の炭素に対する比率が予め設定した値となるような前記燃料極に供給する前記第一の燃料電池セルスタックの前記燃料極排出ガスの供給量を計算によって求め、前記燃料極に供給する前記第一の燃料電池セルスタックの前記燃料極排出ガスの供給量が前記計算によって求められた供給量になるように、前記燃料極に供給する前記第一の燃料電池セルスタックの前記燃料極排出ガスの供給量を制御することを特徴とする燃料電池発電システムの制御法を構成する。
【００３３】
また、本発明においては、請求項９に記載のように、
請求項１、２、３、４、５、６、７または８に記載の燃料電池発電システムの制御法をコンピュータに実行させることを特徴とする燃料電池発電システムの制御法を実現する制御プログラムを構成する。
【００３４】
また、本発明においては、請求項１０に記載のように、
請求項９に記載の燃料電池発電システムの制御法を実現する制御プログラムを記録したことを特徴とする燃料電池発電システムの制御法を実現する制御プログラムを記録した記録媒体記録媒体を構成する。
【発明の効果】
【００３５】
本発明の実施によって、改質器リサイクルガスと燃料との混合ガスのスチームカーボン比が予め設定した所定の値となるように制御され、発電を安定に継続する燃料電池発電システムの制御法とその制御法を実現する制御プログラムとその制御プログラムを記録した記録媒体を提供することが可能となる。
【発明を実施するための最良の形態】
【００３６】
図１は、本発明の燃料電池発電システムの制御法の一例を表すシステムフロー図である。図３に示した燃料電池発電システムを例に、図１に示した本発明の燃料電池発電システムの制御法の作用について説明する。
【００３７】
本発明の燃料電池発電システムの制御法では、図１に示したように、燃料である天然ガス１の供給量（すなわち、流量制御弁１４の開度）及びＳＯＦＣスタック３の発電電流から、予め設定された燃料である天然ガス１の供給量、ＳＯＦＣスタック３の発電電流及びリサイクル用ＳＯＦＣスタック３の燃料極排出ガス１１と脱硫された天然ガス３９の混合ガス８のスチームカーボン比とリサイクル用ＳＯＦＣスタック３の燃料極排出ガス１１の供給量（すなわち、流量制御弁１５の開度）の関係に基づいて、リサイクル用ＳＯＦＣスタック３の燃料極排出ガス１１と脱硫された天然ガス３９の混合ガス８のスチームカーボン比を予め設定された値にするために必要なリサイクル用ＳＯＦＣスタック３の燃料極排出ガス１１の供給量（すなわち、流量制御弁１５の開度）を計算によって求め、リサイクル用ＳＯＦＣスタック３の燃料極排出ガス１１の供給量が、その計算によって求められた供給量となるように、流量制御弁１５の開度を制御する。
【００３８】
ＳＯＦＣスタック３の燃料極排出ガス１０のガス組成は、燃料である天然ガス１の供給量とＳＯＦＣスタック３の発電電流に対して一意的に定まるので、本発明の燃料電池発電システムの制御法を用いれば、発電条件が変化しても、リサイクル用ＳＯＦＣスタック３の燃料極排出ガス１１と脱硫された天然ガス３９の混合ガス８のスチームカーボン比を所定の値に制御することができ、スチームカーボン比の低下による改質器２の改質触媒上への炭素析出に起因する性能低下を抑制し、燃料電池発電システムの発電を安定に継続することが可能である。
【００３９】
上記のように、流量制御弁１５の開度を制御する際には、図１に示した手順に従って、演算をコンピュータに行わせる制御プログラムを作成し、その制御プログラムをコンピュータに実行させる。また、その制御プログラムは、磁気ディスク等の記録媒体に記録しておく。
【００４０】
本発明の燃料電池発電システムの制御法は、図３にその構成を示した燃料電池発電システム以外でも、図４、図５、図６、図７及び図８にその構成を示した燃料電池発電システムにおいて有効である。以下に、図４、図５、図６、図７及び図８にその構成を示した燃料電池発電システムと本発明の燃料電池発電システムの制御法の有効性について簡単に説明する。
【００４１】
図４は本発明の燃料電池発電システムの制御法が有効な他の燃料電池発電システムの一例を表すシステム構成図である。図４において、図３と同一のものは同一符号で表し、これらのものについてはその説明を省略する。図４において、４８は水素分離器、５０は一酸化炭素濃度を１％以下に低減させた水素分離器用ＳＯＦＣスタック燃料極排出ガス、５１は水素、５２は水素分離器排出ガス、６７はパージ弁、６８はパージガス、６９は燃料極水素排出ガスである。本実施形態では、水素５１を第二の燃料電池セルスタックであるＰＥＦＣスタック２３に供給する。
【００４２】
図４に示した本燃料電池発電システムは、図３に示した燃料電池発電システムとは、ＣＯ選択酸化器２１と凝縮器２２の代わりに水素分離器４８を設けた点が異なる。
【００４３】
次に、図４に示した本燃料電池発電システムの作用について説明する。水素分離器用改質ガス５０は、パラジウム膜等の水素分離膜を有する水素分離器４８に供給し、水素５１を分離する。その際、効率的な水素分離を行うために、必要に応じて水素分離器用改質ガス５０の加圧を行う。水素５１は、ＰＥＦＣスタック２３の燃料極２６に供給する。水素分離器排出ガス５２は、燃焼用ＳＯＦＣスタック３の燃料極排出ガス２７及びＳＯＦＣスタック３の空気極排出ガス１２とともに、燃焼器７に供給する。水素分離器４８で分離した水素５１は、ＰＥＦＣスタック２３の燃料極２６に供給し、ＰＥＦＣスタック２３の発電用空気３２中の酸素と電気化学的に反応させることによってＰＥＦＣスタック２３の発電を行う。未反応水素からなるＰＥＦＣスタック２３の燃料極水素排出ガス６９は、ＰＥＦＣスタック２３の発電効率を向上させるために、全てＰＥＦＣスタック２３の燃料極２６にリサイクルする。しかし、ＰＥＦＣスタック２３の燃料極水素排出ガス６９中には、水素以外の不純物が若干含まれているので、パージ弁６７を間欠的に開け、パージガス６８を放出する。
【００４４】
図４に示した本燃料電池発電システムにおいても、燃料である天然ガス１の供給量（すなわち、流量制御弁１４の開度）及びＳＯＦＣスタック３の発電電流から、予め設定された燃料である天然ガス１の供給量、ＳＯＦＣスタック３の発電電流及びリサイクル用ＳＯＦＣスタック３の燃料極排出ガス１１と脱硫された天然ガス３９の混合ガス８のスチームカーボン比とリサイクル用ＳＯＦＣスタック３の燃料極排出ガス１１の供給量（すなわち、流量制御弁１５の開度）の関係に基づいて、リサイクル用ＳＯＦＣスタック３の燃料極排出ガス１１と脱硫された天然ガス３９の混合ガス８のスチームカーボン此を予め設定された値にするために必要なリサイクル用ＳＯＦＣスタック３の燃料極排出ガス１１の供給量（すなわち、流量制御弁１５の開度）を求め、流量制御弁１５の開度を制御することによって、リサイクル用ＳＯＦＣスタック３の燃料極排出ガス１１の供給量を設定する。ＳＯＦＣスタック３の燃料極排出ガス１０のガス組成は、燃料である天然ガス１の供給量とＳＯＦＣスタック３の発電電流に対して一意的に定まるので、本発明の燃料電池発電システムの制御法を用いれば、発電条件が変化しても、リサイクル用ＳＯＦＣスタック３の燃料極排出ガス１１と脱硫された天然ガス３９の混合ガス８のスチームカーボン比を所定の値に制御することができ、スチームカーボン比の低下による改質器２の改質触媒上への炭素析出に起因する性能低下を抑制し、燃料電池発電システムの発電を安定に継続することが可能である。
【００４５】
上記のように、流量制御弁１５の開度を制御する際には、図１に示した手順に従って、演算をコンピュータに行わせる制御プログラムを作成し、その制御プログラムをコンピュータに実行させる。また、その制御プログラムは、磁気ディスク等の記録媒体に記録しておく。
【００４６】
図５は本発明の燃料電池発電システムの制御法が有効なその他の燃料電池発電システムの一例を表すシステム構成図である。図５において、図３と同一のものは同一符号で表し、これらのものについてはその説明を省略する。図５において、５５はりん酸形燃料電池スタック（以下、ＰＡＦＣスタックと略す）用改質ガス、５６は第二の燃料電池セルスタックであるＰＡＦＣスタック、５７はＰＡＦＣスタック５６の空気極、５８はＰＡＦＣスタック５６のりん酸電解質、５９はＰＡＦＣスタック５６の燃料極、６０はＰＡＦＣスタック５６の発電用空気、６１はＰＡＦＣスタック５６の発電用空気６０の供給量を制御する流量制御弁、６２はＰＡＦＣスタック５６の空気極排出ガス、６３はＰＡＦＣスタック５６の燃料極排出ガスである。
【００４７】
図５に示した本燃料電池システムは、図３に示した燃料電池発電システムとは、ＣＯ選択酸化器２１と凝縮器２２が不要で、第二の燃料電池セルスタックとしてＰＥＦＣスタック２３の代わりにＰＡＦＣスタック５６を用いる点が異なる。
【００４８】
次に、図５に示した本燃料電池システムの作用について説明する。ＣＯシフトコンバータ２０でつくられた一酸化炭素濃度を１％以下に低減させたＳＯＦＣスタック３の燃料極排出ガス４４の一部を、ＰＡＦＣスタック用改質ガス５５としてＰＡＦＣスタック５６の燃料極５９に供給する。また、ＰＡＦＣスタック５６の発電用空気６０をＰＡＦＣスタック５６の空気極５７に供給する。ＰＡＦＣスタック５６の発電用空気６０の供給量は、予め設定されたＰＡＦＣスタック５６の発電電流と流量制御弁６１の開度（すなわち、ＰＡＦＣスタック５６の発電用空気６０の供給量）の関係に基づいて、流量制御弁６１の開度を制御することによって、ＰＡＦＣスタック５６の発電電流に見合った値に設定する。ＰＡＦＣスタック５６の発電温度は、１９０℃が一般的であり、電池反応による発熱により発電温度が維持される。
【００４９】
ＰＡＦＣスタック５６の燃料極５９では、白金系電極触媒の働きで、ＰＡＦＣスタック用改質ガス５５に含まれる水素の約８０％が、ＰＡＦＣスタック２３の場合と同様に（９）式に示した燃料極反応により水素イオンと電子に変わる。
【００５０】
ＰＡＦＣスタック５６の燃料極５９で生成した水素イオンは、ＰＡＦＣスタック５６のりん酸電解質５８の内部を移動し、ＰＡＦＣスタック５６の空気極５７に到達する。一方、ＰＡＦＣスタック５６の燃料極５９で生成した電子は、外部回路を移動し、ＰＡＦＣスタック５６の空気極５７に到達する。この電子が外部回路を移動する過程で、電気エネルギーを発電電力として取り出すことができる。
【００５１】
ＰＡＦＣスタック５６の空気極５７では、白金系電極触媒の働きで、ＰＡＦＣスタック５６の燃料極５９からＰＡＦＣスタック５６のりん酸電解質５８の内部をＰＡＦＣスタック５６の空気極５７まで移動してきた水素イオン、ＰＡＦＣスタック５６の燃料極５９から外部回路をＰＡＦＣスタック５６の空気極５７まで移動してきた電子及びＰＡＦＣスタック５６の空気極５７に供給されたＰＡＦＣスタック５６の発電用空気６０中の酸素が、ＰＥＦＣスタック２３の場合と同様に（１０）式に示した空気極反応により反応し、水が生成する。
【００５２】
（９）式と（１０）式をまとめると、ＰＡＦＣスタック５６の電池反応は、ＰＥＦＣスタック２３の場合と同様に（１１）式に示した水素の酸化反応として表すことができる。
【００５３】
ＰＡＦＣスタック５６の発電用空気６０は、ＰＡＦＣスタック５６の空気極２４で酸素の一部を（１０）式に示した空気極反応により消費した後に、ＰＡＦＣスタック５６の空気極排出ガス６２として排出する。一方、ＰＡＦＣスタック用改質ガス５５は、ＰＡＦＣスタック５６の燃料極５９で水素の約８０％を（９）式に示した燃料極反応により消費した後に、ＰＡＦＣスタック５６の燃料極排出ガス６３として、燃焼用ＳＯＦＣスタック３の燃料極排出ガス２７及びＳＯＦＣスタック３の空気極排出ガス１２とともに、燃焼器７に供給する。
【００５４】
図５に示した本燃料電池システムにおいても、燃料である天然ガス１の供給量（すなわち、流量制御弁１４の開度）及びＳＯＦＣスタック３の発電電流から、予め設定された燃料である天然ガス１の供給量、ＳＯＦＣスタック３の発電電流及びリサイクル用ＳＯＦＣスタック３の燃料極排出ガス１１と脱硫された天然ガス３９の混合ガス８のスチームカーボン比とリサイクル用ＳＯＦＣスタック３の燃料極排出ガス１１の供給量（すなわち、流量制御弁１５の開度）の関係に基づいて、リサイクル用ＳＯＦＣスタック３の燃料極排出ガス１１と脱硫された天然ガス３９の混合ガス８のスチームカーボン比を予め設定された値にするために必要なリサイクル用ＳＯＦＣスタック３の燃料極排出ガス１１の供給量（すなわち、流量制御弁１５の開度）を求め、流量制御弁１５の開度を制御することによって、リサイクル用ＳＯＦＣスタック３の燃料極排出ガス１１の供給量を設定する。ＳＯＦＣスタック３の燃料極排出ガス１０のガス組成は、燃料である天然ガス１の供給量とＳＯＦＣスタック３の発電電流に対して一意的に定まるので、本発明の燃料電池発電システムの制御法を用いれば、発電条件が変化しても、リサイクル用ＳＯＦＣスタック３の燃料極排出ガス１１と脱硫された天然ガス３９の混合ガス８のスチームカーボン比を所定の値に制御することができ、スチームカーボン比の低下による改質器２の改質触媒上への炭素析出に起因する性能低下を抑制し、燃料電池発電システムの発電を安定に継続することが可能である。
【００５５】
上記のように、流量制御弁１５の開度を制御する際には、図１に示した手順に従って、演算をコンピュータに行わせる制御プログラムを作成し、その制御プログラムをコンピュータに実行させる。また、その制御プログラムは、磁気ディスク等の記録媒体に記録しておく。
【００５６】
図６は本発明の燃料電池発電システムの制御法が有効なその他の燃料電池発電システムの一例を表すシステム構成図である。図６において、図３と同一のものは同一符号で表し、これらのものについては、説明を省略する。
【００５７】
図６に示した本燃料電池発電システムは、図３に示した燃料電池発電システムとは、改質器２が不要な点が異なる。
【００５８】
次に、図６に示した本燃料電池発電システムの作用について説明する。脱硫器３８で脱硫された昇温され脱硫された天然ガス３９は、リサイクルされたＳＯＦＣスタック３で電池反応により生成した水蒸気を含むリサイクル用ＳＯＦＣスタック３の燃料極排出ガス１１と混合し、リサイクル用ＳＯＦＣスタック３の燃料極排出ガス１１と脱硫された天然ガス３９の混合ガス８としてＳＯＦＣスタック３の燃料極４に供給する。ＳＯＦＣスタック３の燃料極４では、燃料極触媒の働きにより燃料である天然ガス１に含まれる炭化水素（主にメタン）の水蒸気改質反応が行われ、水素と一酸化炭素が生成する。ＳＯＦＣスタック３の燃料極４で生成した水素と一酸化炭素がその場で、（３）式及び（４）式に示した燃料極反応により消費され、ＳＯＦＣスタック３の発電が行われる。炭化水素の水蒸気改質反応は吸熱反応であるが、ＳＯＦＣスタック３の発電に伴って発生した熱を、炭化水素の水蒸気改質反応に必要な反応熱として利用する。
【００５９】
ＳＯＦＣスタック３の燃料極排出ガス１０は、一部をリサイクル用ＳＯＦＣスタック３の燃料極排出ガス１１としてＳＯＦＣスタック３の燃料極４にリサイクルし、残りの一部をＣＯシフトコンバータ用ＳＯＦＣスタック３の燃料極排出ガス１７としてＣＯシフトコンバータ２０に供給し、さらに残りを燃焼用ＳＯＦＣスタック３の燃料極排出ガス２７として、ＰＥＦＣスタック２３の燃料極排出ガス３４及びＳＯＦＣスタック３の空気極排出ガス１２とともに、燃焼器７に供給する。
【００６０】
図６に示した本燃料電池発電システムにおいても、燃料である天然ガス１の供給量（すなわち、流量制御弁１４の開度）及びＳＯＦＣスタック３の発電電流から、予め設定された燃料である天然ガス１の供給量、ＳＯＦＣスタック３の発電電流及びリサイクル用ＳＯＦＣスタック３の燃料極排出ガス１１と脱硫された天然ガス３９の混合ガス８のスチームカーボン比とリサイクル用ＳＯＦＣスタック３の燃料極排出ガス１１の供給量（すなわち、流量制御弁１５の開度）の関係に基づいて、リサイクル用ＳＯＦＣスタック３の燃料極排出ガス１１と脱硫された天然ガス３９の混合ガス８のスチームカーボン比を予め設定された値にするために必要なリサイクル用ＳＯＦＣスタック３の燃料極排出ガス１１の供給量（すなわち、流量制御弁１５の開度）を求め、流量制御弁１５の開度を制御することによって、リサイクル用ＳＯＦＣスタック３の燃料極排出ガス１１の供給量を設定する。ＳＯＦＣスタック３の燃料極排出ガス１０のガス組成は、燃料である天然ガス１の供給量とＳＯＦＣスタック３の発電電流に対して一意的に定まるので、本発明の燃料電池発電システムの制御法を用いれば、発電条件が変化しても、リサイクル用ＳＯＦＣスタック３の燃料極排出ガス１１と脱硫された天然ガス３９の混合ガス８のスチームカーボン比を所定の値に制御することができ、スチームカーボン比の低下によるＳＯＦＣスタック３の燃料極４の電極触媒上への炭素析出に起因するＳＯＦＣスタック３の性能低下を抑制し、燃料電池発電システムの発電を安定に継続することが可能である。
【００６１】
上記のように、流量制御弁１５の開度を制御する際には、図１に示した手順に従って、演算をコンピュータに行わせる制御プログラムを作成し、その制御プログラムをコンピュータに実行させる。また、その制御プログラムは、磁気ディスク等の記録媒体に記録しておく。
【００６２】
図７は本発明の燃料電池発電システムの制御法が有効なその他の燃料電池発電システムの一例を表すシステム構成図である。図７において、図４と同一のものは同一符号で表し、これらのものについては、説明を省略する。
【００６３】
図７に示した本燃料電池発電システムは、図４に示した燃料電池発電システムとは、改質器２が不要な点が異なる。
【００６４】
図７に示した本燃料電池発電システムにおいても、燃料である天然ガス１の供給量（すなわち、流量制御弁１４の開度）及びＳＯＦＣスタック３の発電電流から、予め設定された燃料である天然ガス１の供給量、ＳＯＦＣスタック３の発電電流及びリサイクル用ＳＯＦＣスタック３の燃料極排出ガス１１と脱硫された天然ガス３９の混合ガス８のスチームカーボン比とリサイクル用ＳＯＦＣスタック３の燃料極排出ガス１１の供給量（すなわち、流量制御弁１５の閉度）の関係に基づいて、リサイクル用ＳＯＦＣスタック３の燃料極排出ガス１１と脱硫された天然ガス３９の混合ガス８のスチームカーボン比を予め設定された値にするために必要なリサイクル用ＳＯＦＣスタック３の燃料極排出ガス１１の供給量（すなわち、流量制御弁１５の開度）を求め、流量制御弁１５の開度を制御することによって、リサイクル用ＳＯＦＣスタック３の燃料極排出ガス１１の供給量を設定する。ＳＯＦＣスタック３の燃料極排出ガス１０のガス組成は、燃料である天然ガス１の供給量とＳＯＦＣスタック３の発電電流に対して一意的に定まるので、本発明の燃料電池発電システムの制御法を用いれば、発電条件が変化しても、リサイクル用ＳＯＦＣスタック３の燃料極排出ガス１１と脱硫された天然ガス３９の混合ガス８のスチームカーボン比を所定の値に制御することができ、スチームカーボン比の低下によるＳＯＦＣスタック３の燃料極４の電極触媒上への炭素析出に起因するＳＯＦＣスタック３の性能低下を抑制し、燃料電池発電システムの発電を安定に継続することが可能である。
【００６５】
上記のように、流量制御弁１５の開度を制御する際には、図１に示した手順に従って、演算をコンピュータに行わせる制御プログラムを作成し、その制御プログラムをコンピュータに実行させる。また、その制御プログラムは、磁気ディスク等の記録媒体に記録しておく。
【００６６】
図８は本発明の燃料電池発電システムの制御法が有効なその他の燃料電池発電システムの一例を表すシステム構成図である。図８において、図５と同一のものは同一符号で表し、これらのものについては、説明を省略する。
【００６７】
図８、に示した本燃料電池発電システムは、図５に示した燃料電池発電システムとは、改質器２が不要な点が異なる。
【００６８】
図８に示した本燃料電池発電システムにおいても、燃料である天然ガス１の供給量（すなわち、流量制御弁１４の開度）及びＳＯＦＣスタック３の発電電流から、予め設定された燃料である天然ガス１の供給量、ＳＯＦＣスタック３の発電電流及びリサイクル用ＳＯＦＣスタック３の燃料極排出ガス１１と脱硫された天然ガス３９の混合ガス８のスチームカーボン比とリサイクル用ＳＯＦＣスタック３の燃料極排出ガス１１の供給量（すなわち、流量制御弁１５の開度）の関係に基づいて、リサイクル用ＳＯＦＣスタック３の燃料極排出ガス１１と脱硫された天然ガス３９の混合ガス８のスチームカーボン比を予め設定された値にするために必要なリサイクル用ＳＯＦＣスタック３の燃料極排出ガス１１の供給量（すなわち、流量制御弁１５の開度）を求め、流量制御弁１５の開度を制御することによって、リサイクル用ＳＯＦＣスタック３の燃料極排出ガス１１の供給量を設定する。ＳＯＦＣスタック３の燃料極排出ガス１０のガス組成は、燃料である天然ガス１の供給量とＳＯＦＣスタック３の発電電流に対して一意的に定まるので、本発明の燃料電池発電システムの制御法を用いれば、発電条件が変化しても、リサイクル用ＳＯＦＣスタック３の燃料極排出ガス１１と脱硫された天然ガス３９の混合ガス８のスチームカーボン比を所定の値に制御することができ、スチームカーボン比の低下によるＳＯＦＣスタック３の燃料極４の電極触媒上への炭素析出に起因するＳＯＦＣスタック３の性能低下を抑制し、燃料電池発電システムの発電を安定に継続することが可能である。
【００６９】
上記のように、流量制御弁１５の開度を制御する際には、図１に示した手順に従って、演算をコンピュータに行わせる制御プログラムを作成し、その制御プログラムをコンピュータに実行させる。また、その制御プログラムは、磁気ディスク等の記録媒体に記録しておく。
【００７０】
なお、一般に、前記第一の燃料電池セルスタックと、前記ＣＯシフトコンバータと、第二の燃料電池セルスタックとして前記ＣＯシフトコンバータの排出ガス中の水素を燃料として発電を行う一般の燃料電池セルスタックを有する燃料電池発電システムに対しても、燃料の供給量及び第一の燃料電池セルスタックの発電電流から、スチームカーボン比が予め設定された値になるようなリサイクル用燃料極排出ガスの供給量を算出し、実際のリサイクル用燃料極排出ガスの供給量がその算出値になるように制御することを特徴とする本発明は適用可能であり、それによって、上記の実施形態と同様の効果が得られる。この場合にも、流量制御弁１５の開度を制御する際には、図１に示した手順に従って、演算をコンピュータに行わせる制御プログラムを作成し、その制御プログラムをコンピュータに実行させる。また、その制御プログラムは、磁気ディスク等の記録媒体に記録しておく。
【００７１】
本発明の燃料電池発電システムの制御法とその制御法を実現する制御プログラムとその制御プログラムを記録した記録媒体を用いれば、発電条件が変化しても、改質器または第一の燃料電池セルスタックに供給するガスの水蒸気の燃料中の炭素に対する比率を予め設定した所定の値となるように制御することができ、水蒸気の燃料中の炭素に対する比率の低下による改質器の改質触媒上あるいは第一の燃料電池セルスタックの燃料極の電極触媒上への炭素析出に起因する性能低下を抑制し、燃料電池発電システムの発電を安定に継続することが可能である。
【図面の簡単な説明】
【００７２】
【図１】本発明の燃料電池発電システムの制御法の一実施形態を表すフロー図である。
【図２】従来の燃料電池発電システムの制御法を表すフロー図である。
【図３】本発明の燃料電池発電システムの制御法が有効な燃料電池システムを表すシステム構成図である。
【図４】本発明の燃料電池発電システムの制御法が有効なその他の燃料電池システムを表すシステム構成図である。
【図５】本発明の燃料電池発電システムの制御法が有効なその他の燃料電池システムを表すシステム構成図である。
【図６】本発明の燃料電池発電システムの制御法が有効なその他の燃料電池システムを表すシステム構成図である。
【図７】本発明の燃料電池発電システムの制御法が有効なその他の燃料電池システムを表すシステム構成図である。
【図８】本発明の燃料電池発電システムの制御法が有効なその他の燃料電池システムを表すシステム構成図である。
【符号の説明】
【００７３】
１…天然ガス、２…改質器、３…ＳＯＦＣスタック、４…燃料極、５…固体酸化物電解質、６…空気極、７…燃焼器、８…燃料極排出ガスと脱硫された天然ガスの混合ガス、９…改質ガス、１０…燃料極排出ガス、１１…リサイクル用燃料極排出ガス、１２…空気極排出ガス、１３…燃焼ガス、１４…流量制御弁、１５…流量制御弁、１７…ＣＯシフトコンバータ用燃料極排出ガス、１９…流量制御弁、２０…ＣＯシフトコンバータ、２１…ＣＯ選択酸化器、２２…凝縮器、２３…ＰＥＦＣスタック、２４…空気極、２５…固体高分子電解質、２６…燃料極、２７…燃料極排出ガス、２８…一酸化炭素濃度を１％以下まで低減させた燃料極排出ガス、２９…一酸化炭素濃度をｐｐｍオーダーまで低減させた燃料極排出ガス、３０…酸化用空気、３１…一酸化炭素濃度をｐｐｍオーダーまで低減させ水蒸気を除去した燃料極排出ガス、３２…発電用空気、３３…空気極排出ガス、３４…燃料極排出ガス、３６…発電用空気、３７…流量制御弁、３８…脱硫器、３９…脱硫された天然ガス、４０…流量制御弁、４１…流量制御弁、４２…流量制御弁、４４…一酸化炭素濃度を１％以下まで低減させた燃料極排出ガス、４５…脱硫器リサイクルガス、４６…凝縮水、４８…水素分離器、５０…一酸化炭率濃度を１％以下に低減させた燃料極排出ガス、５１…水素、５２…水素分離器排出ガス、５５…改質ガス、５６…ＰＡＦＣスタック、５７…空気極、５８…りん酸電解質、５９…燃料極、６０…発電用空気、６１…流量制御弁、６２…空気極排出ガス、６３…燃料極排出ガス、６７…パージ弁、６８…パージガス、６９…燃料極水素排出ガス。
【図１】
2005063722.tif 000004
【図２】
2005063722.tif 000005
【図３】
2005063722.tif 000006
【図４】
2005063722.tif 000007
【図５】
2005063722.tif 000008
【図６】
2005063722.tif 000009
【図７】
2005063722.tif 000010
【図８】
2005063722.tif 000011